(57)【要約】      （修正有） 【課題】電動ガンのリアリティーを実銃のレベルにまで高め、かつ模擬の構造を簡略化するとともに、照準の安定性を高める遊底機構を提供する。【解決手段】ガン本体に摺動自在に設けた遊底部１と、該ガン本体内設され、かつ該遊底部１の一方の側に位置する給電中断手段２と、該遊底部１の動作を限定するストッパー１１と、該ガン本体内に回動自在に設けられ、かつ該遊底部１の一方の側に位置する連動手段と、該ガン本体内に固定され、かつ該連動手段に連結する少なくとも１以上の弾性部材３と、該連動手段３の一方の側に形成され、選択的に該ストッパー１１に抵触して該遊底部１の摺動を制限する遊底係合部３２と、該遊底係合部３２の一方の側に位置し、かつ該連動手段３の作用を受けて連動し、選択的に該給電中断手段２を触発して該ガン本体の電力の供給源を切断する電源押圧部３３と、を含む。【選択図】図６
0003212720.tif 000002
【実用新案登録請求の範囲】
【請求項１】
ガン本体に摺動自在に設けた遊底部と、
該ガン本体内設され、かつ該遊底部の一方の側に位置する給電中断手段と、
該遊底部の動作を限定するストッパーと、
該ガン本体内に回動自在に設けられ、かつ該遊底部の一方の側に位置する連動手段と、
該ガン本体内に固定され、かつ該連動手段に連結する少なくとも１以上の弾性部材と、
該連動手段の一方の側に形成され、選択的に該ストッパーに抵触して該遊底部の摺動を制限する遊底係合部と、
該遊底係合部の一方の側に位置し、かつ該連動手段の作用を受けて連動し、選択的に該給電中断手段を触発して該ガン本体の電力の供給源を切断する電源押圧部と、を含むことを特徴とする遊底機構。
【請求項２】
前記連動手段が支承軸部と、該支承軸部の一方の側に位置するマガジン係合部とを含み、
該遊底係合部と該電源押圧部とが該支承軸部の該マガジン係合部から離れた側に位置し、かつ該連動手段と一体に形成され、
該連動手段の該遊底係合部の一方の側に隣り合わせ、かつ近接して形成され、該弾性部材の一端が係合する掛止部を具えることを特徴とする請求項１に記載の遊底機構。
【請求項３】
前記遊底部が少なくとも１以上の歯合部材を含み、該歯合部材によって直線に沿って往復運動を行い、
該給電中断手段が、給電中断スイッチと該給電中断スイッチに連結する弾性体とを含むことを特徴とする請求項１に記載の遊底機構。
【請求項４】
前記ガン本体の左右両側に、該遊底係合部が該遊底部の摺動の制限を解除するための第１アンロック部と第２アンロック部とを具え、
該第１アンロック部が第１押圧部材と、該第1押圧部材の一端に形成される第１押圧部と、該第１押圧部材を貫通する第１軸と、該第１押圧部材の該第１押圧部から離れた側の一端が延伸して形成され、かつ該連動手段を貫通する第１連動部とを含み、かつ該第１連動部が選択的に該連動手段に連動し、
該第２アンロック部が第２押圧部材と、該第２押圧部材の一端に形成される第２押圧部と、該第２押圧部材を貫通し、かつ該第２押圧部材１の他端に位置する第２軸と、該第２押圧部材上に位置し、かつ該第２押圧部と該第２軸との間に位置する第２連動部を含んでなり、該第２連動部が選択的に該第１連動部に連動し、
別途該連動手段が、該遊底係合部と該電源押圧部との間に連結して形成され、該第１連動部に抵触する湾曲部を含むことを特徴とする請求項１に記載の遊底機構。
【考案の詳細な説明】
【技術分野】
【０００１】
この考案はトイガンに関し、特に電動ガンの遊底機構に関する
【背景技術】
【０００２】
従来の電動ガンは、遊底が往復運動を行う機能と、セーフティとしてのマガジンディスコネクト機能の部分のみを以ってリアリティーを与えている。マガジンの弾丸を撃ち尽くしたことに気づかず、継続してトリガーを操作して発射の動作を行った場合、電源の浪費が生じて問題となる。一般には電源のセーフティを配置する。但し、トイガンにリアリティーを付与するには、明らかに不十分である。
【０００３】
また、銃を構えた場合の安定度は、射撃の命中率に直接関係する。従来の模擬機構についていえば、使用者がマガジンを交換する場合、マガジン取り出しボタンを押圧し、マガジンを装填し、叩いてアンロックボタンを位置決めする。それぞれの動作は、いずれも照準のずれを生じさせる。しかも動作が煩雑で、かなり時間がかかる。
【０００４】
電動ガンを使用する際のリアリティーに関しては、次に掲げる問題がある。
１、銃のブローバックの模擬を実現することができない。
２、電源のセーフティとブローバック構造とを同時に模擬することができない。
３、電源のセーフティとブローバック構造は、構造の複雑性が高く、取り付けの何度が上がり、製造コストが高くなる。
４、リセットの動作が煩雑で、いかも時間がかかり、かつ照準が容易にすれる。
【考案の概要】
【考案が解決しようとする課題】
【０００５】
この考案は、電動ガンのリアリティーを実銃のレベルにまで高めて使用者による操作に臨場感を与え、マガジンのプラグアンドプレーの効果が得られ、銃のリセット、弾丸の装填、アンロック通電などの動作を連結機構で完全に整合して連動させ、かつ模擬の構造を簡略化するとともに、照準の安定性を高める遊底機構を提供することを課題とする。
【課題を解決するための手段】
【０００６】
この考案による遊底機構は、ガン本体に摺動自在に設けた遊底部と、該ガン本体内設され、かつ該遊底部の一方の側に位置する給電中断手段と、該遊底部の動作を限定するストッパーと、該ガン本体内に回動自在に設けられ、かつボ該遊底部の一方の側に位置する連動手段と、該ガン本体内に固定され、かつ該連動手段に連結する少なくとも１以上の弾性部材と、該連動手段の一方の側に形成され、選択的に該ストッパーに抵触して該遊底部の摺動を制限する遊底係合部と、該遊底係合部の一方の側に位置し、かつ該連動手段の作用を受けて連動し、選択的に該給電中断手段を触発して該ガン本体の電力の供給源を切断する電源押圧部と、を含んでなり、係る底機構を設けた電動ガンは、遊底部のストッパーを利用して、弾丸を撃ち尽くした後、弾性部材が連動手段を駆動し、遊底係合部がストッパーに抵触して遊底が後方に移動し、後端に固定される。この場合、連動手段が電源押圧部を連動させて給電中断手段を触発する。よってガン本体への電力供給が遮断される。これによって、ガン本体の弾丸を撃ち尽くした場合、バックブローと発射できない（電源カット）というリアリティー効果が得られる。逆に、マガジンを交換する場合も連動手段を介して逆方向に連動させる。よって、操作のための動作が簡略化し、使用者の安定性と速度を高めることができる。
【図面の簡単な説明】
【０００７】
【図１】この考案による遊底機構の構造を示した説明図である。
【図２】他の角度から見たこの考案の遊底機構の構造を示した説明図である。
【図３】この考案における連動構造を示した説明図である。
【図４】この考案における連動構造を示した他の説明図である。
【図５】この考案におけるバックブロー構造を示した説明図である。
【図６】この考案における連動の動作を示した説明図である。
【図７】この考案におけるマガジン交換の動作を示した説明図である。
【図８】この考案におけるアンロックの動作を示した説明図である。
【図９】この考案におけるアンロックの動作を示した他の説明図である。
【考案を実施するための形態】
【実施例】
【０００８】
図１から図４に開示するように、この考案は、ガン本体４に摺動自在に設けた遊底部１を具え、遊底部１は、遊底部１をして直線に沿った往復運動させるための少なくとも１以上の歯合部材１２を含む。
【０００９】
また、ガン本体４に内設され、かつ遊底部１の一方の側に位置し、給電中断スイッチ２１と給電中断スイッチ２１に連結する弾性体２２とを含む給電中断手段２を具える。
【００１０】
また、遊底部１上に設けられ、遊底部１の動作を限定するストッパー１１を具える。
【００１１】
また、ガン本体４内に回動自在に設けられ、かつ遊底部１の一方の側に位置する連動手段３を含む。連動手段３は支承軸部３４と、支承軸部３４の一方の側に位置するマガジン係合部３５と、湾曲部３６とを含む。
【００１２】
また、ガン本体４内に固定され、かつ連動手段３に連結する少なくとも１以上の弾性部材３１を含む。
【００１３】
また、連動手段３の一方の側に形成され、選択的にストッパー１１に抵触して遊底部１の摺動を制限する遊底係合部３２を含む。
【００１４】
また、連動手段３に位置し、かつ遊底係合部３２の一方の側に隣り合い、近接して形成され、弾性部材３１の一端の係合に供する掛止部３１１を具える。
【００１５】
また、遊底係合部３２の一方の側に位置し、かつ連動手段３の作用を受けて連動する電源押圧部３３を具える。電源押圧部３３は選択的に給電中断手段２を触発してガン本体４の電力の供給源を切断し、かつ遊底係合部３２と電源押圧部３３とは、支承軸部３４のマガジン係合部３５から離れた側に位置する。湾曲部３６は遊底係合部３２と電源押圧部３３との間に連結して形成され、後述する第１連動部１３４に抵触する。
【００１６】
ガン本体４の左右両側には、それぞれ第１アンロック部１３と第２アンロック部１４とを具え、遊底係合部３２が遊底部１の摺動の制限を解除するために供する。第１アンロック部１３は第１押圧部材１３１と、第1押圧部材１３１の一端に形成される第１押圧部１３２と、第１押圧部材１３１を貫通する第１軸１３３と、第１押圧部材１３１の第１押圧部１３２から離れた側の一端が延伸して形成され、かつ連動手段３を貫通する第１連動部１３４とを含む。第１連動部１３４は、選択的に連動手段３に連動する。第２アンロック部１４は、第２押圧部材１４１と、第２押圧部材１４１の一端に形成される第２押圧部１４２と、第２押圧部材１４１を貫通し、かつ第２押圧部材１４１の他端に位置する第２軸１４３と、第２押圧部材１4１上に形成され、かつ第２押圧部１４２と第２軸１４３との間に位置する第２連動部１４４とを含んでなり、第２連動部１４４は選択的に第１連動部１３４に連動する。
【００１７】
図１から９に開示するように、この考案におけるガン本体４は電動ガンに属し、電力を射撃の動力とし、かつピストンを遊底部１の前端に設けることから、発射する度に歯合部材１２とボトル部１とが連動して、ボトル部１がガン本体４内で直線に沿った往復運動を行い、リアルな感覚が得られるという効果を達成する。
【００１８】
ピストンと遊底部１とが前後に配置されていることから、弾丸発射の動作をすると、遊底係合部３２が位置を制限する動作を行い、このため遊底部はガン本体４の後ろ側にバックブローされ、実銃のようなリアルな感覚が手に伝わる。
【００１９】
連動手段３は、弾性部材３１を設け、かつ弾性部材３１の一端を連動手段３の掛止部３１１に係合することから、連動部材３は常態において、上方に押圧し回転する弾性位置エネルギーを保存する。最後の弾丸を発射すると、遊底部１は後方に移動して末端に至り、連動手段３は支承軸部３４を中心軸として上方に押圧し回転する。また遊底係合部３２の一方の側の電源押圧部３３が同期して上昇して回転する。よって電源押圧部３３と給電中断スイッチ２１とが抵触する動作を開放し、弾性体２２の弾力が解除されて通電状態となる。このため、弾丸を撃ち尽くすと同時にガン本体４の電力が遮断され、使用者は更なる射撃の動作を行うことができなくなり、弾丸がないと射撃しないという動作を確実に模擬する。また、連動手段３の他方の側のマガジン係合部３５と遊底係合部３２とがそれぞれ逆方向の動作を行う。マガジン係合部３５と遊底係合部３２とは、それぞれ支承軸部３４の両端に分かれて設けられる。このためシーソーの原理でマガジン係合部３５が下方に押されて、弾丸を撃ち尽くしたマガジン４１が外れて、マガジン４１を自動的に取り出すという効果が得られる。
【００２０】
使用者がマガジン４１を交換する場合、マガジン４１を装填するための上方へ押し上げる動作によってマガジン係合部３５に抵触し、マガジン係合部３５が上方に移動し、連動手段３が支承軸部３４の他方の側の遊底係合部３２と電源押圧部３３が下方に移動する。このため遊底係合部３２とストッパー１１との抵触状態を同時に開放し、遊底部１が前方に移動して元の位置に戻るとともに、電源押圧部３３が同時に再度給電中断スイッチ２１を押して給電中断手段２の給電中断を解除する。よって、ガン本体４への給電が回復する。したがって、使用者にとっては弾丸を撃ち尽くした場合、マガジン４１を装填するという一つの動作を行うだけで、同時に遊底の開放、弾丸の装填、ガンを通電状態にするといった動作を同時に完成させることができ、使用者の操作のステップを大幅に簡略化することができる。大部分の操作のための動作を省くことから、使用者の照準の動作に影響を与えることがなく、使用者はマガジン４１を装填するだけで、ほとんど直接射撃できる状態となり、このため射撃の効率と射撃の安定性を効率よく高めることができる。
【００２１】
この考案は、実銃の遊底アンロックボタンを保有している。遊底アンロックボタンは、使用者が手動で遊底アクションを行うためのものであって、一部の実銃では使用者の利き手に合わせて設け、同時にガンの両側にそれぞれ遊底アンロックボタンを設ける。この考案においても、ガン本体４の左右両側にそれぞれ第１アンロック部１３と、第２アンロック部１４を設け、かつ両部分と連動手段３の動作とを整合させている。よって、使用者がボトルアクションの動作を行おうとしたときは、第１アンロック部１３か第アンロック部１４を押圧する（叩く）か、又はマガジン４１を装填することで、目的を達成することができる。
【００２２】
使用者が第１アンロック部１３を押圧する場合、第１軸１３３が第１押圧部材１３１の中央に位置しているため、使用者が第１押圧部１３２を押圧すると、第1連動部１３４が連動し、下方に向かって擺動し、かつ第１連動部１３４が連動手段３を貫通して湾曲部３６上に至るため第１連動部１３４が下方に向かって擺動し、湾曲部３６を介して連動手段３に力がかかり、遊底係合部３２と電源押圧部３３とが連動する。使用者が第２アンロック部１４を押圧する場合、第２軸１４３から離れた一端の第２押圧部１４２の押圧の動作を利用して第２連動部１４４を連動させ、下方に押圧するとともに、第２連動部１４４が抵触する第１連動部１３４の一方の面が傾斜面となっているため、第２連動部１４４が力をかける方向が第１連動部１３４を下方に押圧する方向に転換する。このため第１アンロック部１３を連動して作動させ、連動手段３に力をかけることができる。よって従来の手動による操作とこの考案の連動方式との両方を兼ね備えることになる。
【符号の説明】
【００２３】
１      遊底部
１１    ストッパー
１２    歯合部材
１３    第１アンロック部
１３１  第１押圧部材
１３２  第１押圧部
１３３  第１軸
１３４  第１連動部
１４    第２アンロック部
１４１  第２押圧部材
１４２  第２押圧部
１４３  第２軸
１４４  第２連動部
２      給電中断手段
２１    給電中断スイッチ
２２    弾性体
３      連動手段
３１    弾性部材
３１１  掛止部
３２    遊底係合部
３３    電源押圧部
３４    支承軸部
３５    マガジン係合部
３６    湾曲部
４      ガン本体
４１    マガジン
【図１】
0003212720.tif 000003
【図２】
0003212720.tif 000004
【図３】
0003212720.tif 000005
【図４】
0003212720.tif 000006
【図５】
0003212720.tif 000007
【図６】
0003212720.tif 000008
【図７】
0003212720.tif 000009
【図８】
0003212720.tif 000010
【図９】
0003212720.tif 000011